(57)【要約】【課題】  ディスプレイが外部から見られる必要がないときに、ディスプレイとともに占領する空間を小さくすることができるディスプレイ台を提供する。【解決手段】  ディスプレイ台１０は、ディスプレイを支持するディスプレイ支持部５０と、ディスプレイ支持部５０に支持されたディスプレイを収納するディスプレイ収納部２０と、ディスプレイがディスプレイ収納部２０に対して出入可能になるようにディスプレイ収納部２０にディスプレイ支持部５０を移動可能に連結する連結部７０とを備えていることを特徴とする。【選択図】  図２
2011095686.tif 000002
【特許請求の範囲】
【請求項１】
ディスプレイを支持するディスプレイ支持部と、前記ディスプレイ支持部に支持された前記ディスプレイを収納するディスプレイ収納部と、前記ディスプレイが前記ディスプレイ収納部に対して出入可能になるように前記ディスプレイ収納部に前記ディスプレイ支持部を移動可能に連結する連結部とを備えていることを特徴とするディスプレイ台。
【請求項２】
前記連結部は、前記ディスプレイが前記ディスプレイ収納部に対して上側に出ることができるように前記ディスプレイ収納部に前記ディスプレイ支持部を上下に移動可能に連結していることを特徴とする請求項１に記載のディスプレイ台。
【請求項３】
前記ディスプレイ収納部は、前記ディスプレイを出入させるディスプレイ用開口部と、前記ディスプレイ用開口部から前記ディスプレイが出ることを前記ディスプレイ用開口部の少なくとも一部を塞ぐことによって防止するディスプレイ用扉と、前記ディスプレイ用扉が開かれることを防止するディスプレイ用扉用錠とを備えていることを特徴とする請求項１または請求項２に記載のディスプレイ台。
【請求項４】
前記ディスプレイ支持部は、利用者が前記ディスプレイ収納部に対して前記ディスプレイ支持部を手動で移動させるために前記利用者によって把持される把持部と、前記ディスプレイ支持部が前記ディスプレイ収納部に対して移動可能な方向とは異なる方向に前記把持部を移動可能に支持する把持部支持部とを備えており、
前記ディスプレイ収納部は、前記ディスプレイ収納部に対する前記ディスプレイ支持部の固定に使用される固定用穴を有し、
前記把持部は、前記把持部支持部に対する前記把持部の移動によって前記固定用穴に挿入される固定用挿入部を備えていることを特徴とする請求項１から請求項３までの何れかに記載のディスプレイ台。
【請求項５】
前記ディスプレイ収納部は、前記利用者が前記把持部を把持するために手を差し入れる把持部用開口部と、前記利用者が前記把持部用開口部を介して前記把持部を把持することを前記把持部用開口部の少なくとも一部を塞ぐことによって防止する把持部用扉と、前記把持部用扉が開かれることを防止する把持部用扉用錠とを備えていることを特徴とする請求項４に記載のディスプレイ台。
【請求項６】
前記ディスプレイ収納部は、前記固定用挿入部が前記固定用穴から抜け出るときに前記把持部の少なくとも一部が通る把持部用開口部と、前記把持部の前記少なくとも一部が前記把持部用開口部を通ることを前記把持部用開口部の少なくとも一部を塞ぐことによって防止する把持部用扉と、前記把持部用扉が開かれることを防止する把持部用扉用錠とを備えていることを特徴とする請求項４に記載のディスプレイ台。
【発明の詳細な説明】
【技術分野】
【０００１】
本発明は、液晶ディスプレイなどのディスプレイをのせるためのディスプレイ台に関する。
【背景技術】
【０００２】
従来、ディスプレイ台として、薄型ディスプレイが常に外部から見られることができる状態で薄型ディスプレイをのせる薄型ディスプレイ載置台が知られている（例えば、特許文献１参照。）。
【先行技術文献】
【特許文献】
【０００３】
【特許文献１】特開２００８−１２４７０８号公報
【発明の概要】
【発明が解決しようとする課題】
【０００４】
しかしながら、従来の薄型ディスプレイ載置台は、薄型ディスプレイが常に外部から見られることができる状態で薄型ディスプレイをのせるので、薄型ディスプレイが映像を表示しているときだけでなく、薄型ディスプレイの電源が切られているときなど、薄型ディスプレイが外部から見られる必要がないときにも、薄型ディスプレイとともに大きな空間を占領している。
【０００５】
そこで、本発明は、ディスプレイが外部から見られる必要がないときに、ディスプレイとともに占領する空間を小さくすることができるディスプレイ台を提供することを目的とする。
【課題を解決するための手段】
【０００６】
本発明のディスプレイ台は、ディスプレイを支持するディスプレイ支持部と、前記ディスプレイ支持部に支持された前記ディスプレイを収納するディスプレイ収納部と、前記ディスプレイが前記ディスプレイ収納部に対して出入可能になるように前記ディスプレイ収納部に前記ディスプレイ支持部を移動可能に連結する連結部とを備えていることを特徴とする。
【０００７】
この構成により、本発明のディスプレイ台は、ディスプレイの電源が切られているときなど、ディスプレイが外部から見られる必要がないときに、ディスプレイを収納することができるので、ディスプレイが外部から見られる必要がないときに、ディスプレイとともに占領する空間を小さくすることができる。
【０００８】
また、本発明のディスプレイ台の前記連結部は、前記ディスプレイが前記ディスプレイ収納部に対して上側に出ることができるように前記ディスプレイ収納部に前記ディスプレイ支持部を上下に移動可能に連結していることが好ましい。
【０００９】
この構成により、本発明のディスプレイ台は、一般的に有効に使うことが難しく無駄な空間になりがちである上側の空間にディスプレイを出すので、ディスプレイが水平方向に出る場合と比較して、設置されるために必要な空間の床面積を小さくすることができる。
【００１０】
また、本発明のディスプレイ台の前記ディスプレイ収納部は、前記ディスプレイを出入させるディスプレイ用開口部と、前記ディスプレイ用開口部から前記ディスプレイが出ることを前記ディスプレイ用開口部の少なくとも一部を塞ぐことによって防止するディスプレイ用扉と、前記ディスプレイ用扉が開かれることを防止するディスプレイ用扉用錠とを備えていることが好ましい。
【００１１】
この構成により、本発明のディスプレイ台は、ディスプレイがディスプレイ収納部から出されることをディスプレイ用扉およびディスプレイ用扉用錠によって防止することができる。
【００１２】
また、本発明のディスプレイ台の前記ディスプレイ支持部は、利用者が前記ディスプレイ収納部に対して前記ディスプレイ支持部を手動で移動させるために前記利用者によって把持される把持部と、前記ディスプレイ支持部が前記ディスプレイ収納部に対して移動可能な方向とは異なる方向に前記把持部を移動可能に支持する把持部支持部とを備えており、前記ディスプレイ収納部は、前記ディスプレイ収納部に対する前記ディスプレイ支持部の固定に使用される固定用穴を有し、前記把持部は、前記把持部支持部に対する前記把持部の移動によって前記固定用穴に挿入される固定用挿入部を備えていることが好ましい。
【００１３】
この構成により、本発明のディスプレイ台は、ディスプレイ収納部に対するディスプレイ支持部の移動および固定の両方を把持部によって利用者に手動で行わせることができる。
【００１４】
また、本発明のディスプレイ台の前記ディスプレイ収納部は、前記利用者が前記把持部を把持するために手を差し入れる把持部用開口部と、前記利用者が前記把持部用開口部を介して前記把持部を把持することを前記把持部用開口部の少なくとも一部を塞ぐことによって防止する把持部用扉と、前記把持部用扉が開かれることを防止する把持部用扉用錠とを備えていることが好ましい。
【００１５】
この構成により、本発明のディスプレイ台は、把持部が利用者によって操作されることを把持部用扉および把持部用扉用錠によって防止することができるので、ディスプレイ収納部に対するディスプレイ支持部の移動を防止することができる。
【００１６】
また、本発明のディスプレイ台の前記ディスプレイ収納部は、前記固定用挿入部が前記固定用穴から抜け出るときに前記把持部の少なくとも一部が通る把持部用開口部と、前記把持部の前記少なくとも一部が前記把持部用開口部を通ることを前記把持部用開口部の少なくとも一部を塞ぐことによって防止する把持部用扉と、前記把持部用扉が開かれることを防止する把持部用扉用錠とを備えていることが好ましい。
【００１７】
この構成により、本発明のディスプレイ台は、例えば地震などの不可抗力があったとしても、固定用挿入部が固定用穴から抜け出ることを把持部用扉および把持部用扉用錠によって防止することができるので、ディスプレイ収納部に対するディスプレイ支持部の移動を防止することができる。
【発明の効果】
【００１８】
本発明のディスプレイ台は、ディスプレイが外部から見られる必要がないときに、ディスプレイとともに占領する空間を小さくすることができる。
【図面の簡単な説明】
【００１９】
【図１】（ａ）は、ディスプレイがのせられているディスプレイ支持部がディスプレイ収納部に対して上側固定位置で固定されていて扉が閉じているときの本発明の第一の実施の形態に係るディスプレイ台の外観斜視図である。（ｂ）は、ディスプレイがのせられているディスプレイ支持部がディスプレイ収納部に対して下側固定位置で固定されていて扉および蓋が閉じているときの図１（ａ）に示すディスプレイ台の外観斜視図である。
【図２】ディスプレイ支持部がディスプレイ収納部に対して上側固定位置で固定されているときの図１に示すディスプレイ台の外観斜視図であって、正面パネルが取り外されている状態での図である。
【図３】ディスプレイ支持部がディスプレイ収納部に対して上側固定位置と下側固定位置との間の位置にあるときの図１に示すディスプレイ台の外観斜視図であって、正面パネルが取り外されている状態での図である。
【図４】（ａ）は、扉および蓋が閉じているときの図１に示すディスプレイ台の上面図である。（ｂ）は、扉および蓋が閉じているときの図１に示すディスプレイ台の正面図である。
【図５】（ａ）は、扉および蓋が閉じているときの図１に示すディスプレイ台の背面図である。（ｂ）は、扉および蓋が閉じているときの図１に示すディスプレイ台の右側面図である。
【図６】扉および蓋が開いていてディスプレイ支持部がディスプレイ収納部に対して下側固定位置で固定されているときの図１に示すディスプレイ台の正面図である。
【図７】（ａ）は、扉が閉じているときの図１に示すディスプレイ台の上面図であって、天板が透けている状態での図である。（ｂ）は、扉が開いていてハンドルが引き出されているときの図１に示すディスプレイ台の上面図であって、天板が透けている状態での図である。
【図８】（ａ）は、ディスプレイ収納部に対してディスプレイ支持部が固定されている状態での図２に示す有孔角管、ハンドルおよびハンドル支持部材の斜視図である。（ｂ）は、ディスプレイ収納部に対してディスプレイ支持部が移動可能な状態での図２に示す有孔角管、ハンドルおよびハンドル支持部材の斜視図である。
【図９】ディスプレイ支持部がディスプレイ収納部に対して上側固定位置と下側固定位置との間の位置にあるときの図１に示すディスプレイ台の背面図であって、背面パネルが取り外されている状態での図である。
【図１０】扉および蓋が閉じていてディスプレイ支持部がディスプレイ収納部に対して下側固定位置で固定されているときの図１に示すディスプレイ台の一部破断右側面図である。
【図１１】図２に示す連結部の一部の構成の斜視図である。
【図１２】（ａ）は、図１に示すディスプレイ台の左側面パネルに取り付けられたテーブルの斜視図であって、テーブルにノートパソコンがのせられているときの図である。（ｂ）は、図１に示すディスプレイ台の左側面パネルに取り付けられたテーブルの斜視図であって、テーブルが折りたたまれているときの図である。
【発明を実施するための形態】
【００２０】
以下、本発明の一実施の形態について、図面を用いて説明する。
【００２１】
まず、本実施の形態に係るディスプレイ台の構成について説明する。
【００２２】
図１（ａ）は、ディスプレイ９０がのせられているディスプレイ支持部５０がディスプレイ収納部２０に対して上側固定位置で固定されていて扉３５が閉じているときの本実施の形態に係るディスプレイ台１０の外観斜視図である。図１（ｂ）は、ディスプレイ９０がのせられているディスプレイ支持部５０がディスプレイ収納部２０に対して下側固定位置で固定されていて扉３５および蓋４３が閉じているときのディスプレイ台１０の外観斜視図である。
【００２３】
図１に示すように、ディスプレイ台１０は、ディスプレイ９０を収納するディスプレイ収納部２０と、ディスプレイ９０を支持するディスプレイ支持部５０と、ディスプレイ台１０の高さを調整するためにディスプレイ収納部２０の底面の４隅に取り付けられた４個のアジャスター８１（後側の２個は図１において現れていない。）と、利用者によるディスプレイ台１０の移動を容易にするためにディスプレイ収納部２０の底面の４隅に取り付けられた４個のキャスター８２（後側の右側の１個は図１において現れていない。）と、ディスプレイ台１０の転倒を防止するためにディスプレイ収納部２０の底面の前側と後側に取り付けられた着脱可能な２個のスタビライザ８３（後側の１個は図１において現れていない。）と、利用者によるディスプレイ台１０の移動時に利用者によって把持されるためにディスプレイ収納部２０の左右に２個ずつ取り付けられた４個の取手８４（右側の２個は図１において現れていない。）とを備えている。
【００２４】
ディスプレイ台１０は、例えば、左右方向の幅が１５００ｍｍ、前後方向の奥行が４５０ｍｍ、上下方向の高さが１１００ｍｍの大きさであり、ディスプレイ９０として大型（例えば４２型〜５２型）の薄型ディスプレイをディスプレイ収納部２０の内部に収納することができるものである。
【００２５】
図２は、ディスプレイ支持部５０がディスプレイ収納部２０に対して上側固定位置で固定されているときのディスプレイ台１０の外観斜視図であって、正面パネル３２が取り外されている状態での図である。図３は、ディスプレイ支持部５０がディスプレイ収納部２０に対して上側固定位置と下側固定位置との間の位置にあるときのディスプレイ台１０の外観斜視図であって、正面パネル３２が取り外されている状態での図である。
【００２６】
図２および図３に示すように、ディスプレイ収納部２０は、主にステンレス製の複数の角管で形成されたフレーム部２１と、フレーム部２１に取り付けられたパネル部３１とを備えている。
【００２７】
フレーム部２１は、ディスプレイ収納部２０の底面側のうちそれぞれ前側および後側に配置されてディスプレイ台１０の左右方向に延在した２本の角管２２と、ディスプレイ台１０の前後方向に延在して２本の角管２２に両端部で連結した２本の角管２３と、ディスプレイ台１０の上下方向に延在して２本の角管２２の両端部に下端部で連結した４本の角管２４（後側の左側の１本は図２および図３において現れていない。）と、角管２３と平行に延在して４本の角管２４のうち左側の２本の角管２４の下端部および右側の２本の角管２４の下端部にそれぞれ両端部で連結した２本の角管２５（左側の１本は図２および図３において現れていない。）と、角管２５と平行に延在して４本の角管２４のうち左側の２本の角管２４の上端部および右側の２本の角管２４の上端部にそれぞれ両端部で連結した２本の角管２６（図７参照。）と、角管２２と平行に延在して４本の角管２４のうち前側の２本の角管２４の上端部および後側の２本の角管２４の上端部にそれぞれ両端部で連結した２本の角管２７と、２本の角管２２のうち後側の角管２２の上方に角管２２と平行に延在して４本の角管２４のうち後側の２本の角管２４に両端部で連結した有孔角管２８と、２本の角管２７のうち後側の角管２７の下方に角管２７と平行に延在して４本の角管２４のうち後側の２本の角管２４に両端部で連結した有孔角管２９とを備えている。
【００２８】
２本の角管２２、２本の角管２７、有孔角管２８および有孔角管２９は、互いに同じ長さである。２本の角管２３は、互いに同じ長さである。４本の角管２４は、互いに同じ長さである。２本の角管２５および２本の角管２６は、互いに同じ長さである。
【００２９】
ここで、ディスプレイ支持部５０は、ディスプレイ収納部２０の内部にディスプレイ９０を収納するための位置である下側固定位置と、ディスプレイ収納部２０の外部にディスプレイ９０を出すための位置である上側固定位置との２つの位置でディスプレイ収納部２０に対して固定されるようになっている。そして、有孔角管２８は、ディスプレイ収納部２０に対するディスプレイ支持部５０の下側固定位置での固定に使用される２つの固定用穴２８ａを有している。２つの固定用穴２８ａは、左右方向に離れて配置されており、互いに前側に開口している。同様に、有孔角管２９は、ディスプレイ収納部２０に対するディスプレイ支持部５０の上側固定位置での固定に使用される２つの固定用穴２９ａを有している。２つの固定用穴２９ａは、左右方向に離れて配置されており、互いに前側に開口している。
【００３０】
図４（ａ）は、扉３５および蓋４３が閉じているときのディスプレイ台１０の上面図である。図４（ｂ）は、扉３５および蓋４３が閉じているときのディスプレイ台１０の正面図である。図５（ａ）は、扉３５および蓋４３が閉じているときのディスプレイ台１０の背面図である。図５（ｂ）は、扉３５および蓋４３が閉じているときのディスプレイ台１０の右側面図である。
【００３１】
図４および図５に示すように、パネル部３１は、正面に配置された正面パネル３２と、右側面に配置されたステンレス製の右側面パネル３７と、左側面に配置されたステンレス製の左側面パネル３８（図１参照。）と、背面に配置されたステンレス製の背面パネル３９と、上面に配置された天板４１とを備えている。
【００３２】
図６は、扉３５および蓋４３が開いていてディスプレイ支持部５０がディスプレイ収納部２０に対して下側固定位置で固定されているときのディスプレイ台１０の正面図である。図７（ａ）は、扉３５が閉じているときのディスプレイ台１０の上面図であって、天板４１が透けている状態での図である。図７（ｂ）は、扉３５が開いていてハンドル５６が引き出されているときのディスプレイ台１０の上面図であって、天板４１が透けている状態での図である。
【００３３】
図６および図７に示すように、正面パネル３２は、正面の右側に配置されたステンレス製の右側正面パネル３３と、正面の左側に配置されたステンレス製の左側正面パネル３４とを備えている。ここで、正面パネル３２は、本発明の把持部用開口部としての正面開口部３２ａを右側正面パネル３３と左側正面パネル３４との間に有している。正面開口部３２ａは、利用者がハンドル５６を把持するために手を差し入れる開口部である。また、正面パネル３２は、右側正面パネル３３および左側正面パネル３４の間に配置されて正面開口部３２ａを塞ぐ本発明の把持部用扉としてのステンレス製の扉３５と、上下方向に延在して２本の角管２２のうち前側の角管２２と２本の角管２７のうち前側の角管２７とに固定されたステンレス製の扉固定用部材３６と、扉固定用部材３６に扉３５を連結する２個のヒンジ３６ａとを備えている。扉３５は、利用者が正面開口部３２ａを介してハンドル５６を把持することを正面開口部３２ａを塞ぐことによって防止する扉である。扉固定用部材３６は、扉３５の右側に配置されている。２個のヒンジ３６ａは、上下方向に離れて配置されている。扉３５は、扉固定用部材３６に２個のヒンジ３６ａを介して支持されることによって、上下方向に延在する軸を中心として開閉可能になっている。
【００３４】
図４（ｂ）に示すように、扉３５は、扉３５が開かれることを防止する本発明の把持部用扉用錠としての錠３５ａと、利用者によって掴まれて扉３５の開閉を容易にするための取手３５ｂとを備えている。錠３５ａは、扉３５の表面側から鍵が差し込まれるようになっており、差し込まれた鍵が回されることによって、扉３５の裏面に配置された図示していない閂が左側正面パネル３４側に飛び出すようになっている。ここで、左側正面パネル３４の裏面には、錠３５ａの閂と係合する図示していない受け部が配置されている。つまり、錠３５ａは、差し込まれた鍵が回されることによって、左側正面パネル３４に対して扉３５を固定するようになっている。
【００３５】
図５（ａ）に示すように、背面パネル３９は、ディスプレイ収納部２０の内部にディスプレイ９０が収納されているときにディスプレイ９０によって発せられる熱をディスプレイ収納部２０の外部に放出するための放熱用スリット３９ａを上面側の左右方向の中央に備えている。
【００３６】
図４（ａ）に示すように、天板４１は、ディスプレイ９０（図１（ａ）参照。）を出入させる本発明のディスプレイ用開口部としての上面開口部４１ａ（図１（ａ）参照。）と、フレーム部２１（図２参照。）の上面に固定された木製の固定部４２と、上面開口部４１ａからディスプレイ９０が出ることを上面開口部４１ａを塞ぐことによって防止する本発明のディスプレイ用扉としての木製の蓋４３と、２本の角管２７のうち後側の角管２７（図５（ａ）参照。）に蓋４３を連結する２個のヒンジ４４（図５（ａ）参照。）とを備えている。２個のヒンジ４４は、左右方向に離れて配置されている。蓋４３は、２本の角管２７のうち後側の角管２７に２個のヒンジ４４を介して支持されることによって、左右方向に延在する軸を中心として開閉可能になっている。
【００３７】
蓋４３は、蓋４３が開かれることを防止する本発明のディスプレイ用扉用錠としての錠４３ａと、利用者によって掴まれて蓋４３の開閉を容易にするための取手４３ｂとを備えている。錠４３ａは、蓋４３の表面側から鍵が差し込まれるようになっており、差し込まれた鍵が回されることによって、蓋４３の裏面に配置された図示していない閂が固定部４２側に飛び出すようになっている。ここで、固定部４２の裏面には、錠４３ａの閂と係合する図示していない受け部が配置されている。つまり、錠４３ａは、差し込まれた鍵が回されることによって、固定部４２に対して蓋４３を固定するようになっている。
【００３８】
図４および図５に示すように、天板４１は、蓋４３が閉じているときに固定部４２および蓋４３によって上面が平らである。したがって、ディスプレイ台１０は、ディスプレイ収納部２０の内部にディスプレイ９０が収納されているときに、天板４１の上に任意の物をのせることができる。
【００３９】
図２および図３に示すように、ディスプレイ支持部５０は、ディスプレイ９０をいわゆる据置きによって固定することが可能な台部５１と、ディスプレイ９０をいわゆる壁掛けによって固定することが可能な壁部６１とを備えている。
【００４０】
台部５１は、前側に配置されて左右方向に延在した前側部材５２と、後側に配置されて左右方向に延在した後側部材５３と、前側部材５２および後側部材５３の両端部に連結された２個の側面部材５４と、前後方向に延在して前側部材５２および後側部材５３を連結した４個の補強部材５５と、利用者がディスプレイ収納部２０に対してディスプレイ支持部５０を手動で移動させるために利用者によって把持される本発明の把持部としてのハンドル５６と、前側部材５２および後側部材５３に取り付けられてハンドル５６を支持する本発明の把持部支持部としての２個のハンドル支持部材５７とを備えている。ハンドル支持部材５７は、ディスプレイ支持部５０がディスプレイ収納部２０に対して移動可能な上下方向とは異なる方向である前後方向にハンドル５６を移動可能に支持している。
【００４１】
図８（ａ）は、ディスプレイ収納部２０に対してディスプレイ支持部５０が固定されている状態での有孔角管２８、ハンドル５６およびハンドル支持部材５７の斜視図である。図８（ｂ）は、ディスプレイ収納部２０に対してディスプレイ支持部５０が移動可能な状態での有孔角管２８、ハンドル５６およびハンドル支持部材５７の斜視図である。
【００４２】
図６〜図８に示すように、ハンドル５６は、左右方向に延在している中央部５６ａと、中央部５６ａの両端から後側に向かって延長している延長部５６ｂと、ハンドル５６がハンドル支持部材５７から前側に抜け出ることを防止するために延長部５６ｂから突出した抜出防止突起５６ｃとを備えており、略Ｕ字状の形状をしている。延長部５６ｂは、ハンドル支持部材５７に対するハンドル５６の移動によって有孔角管２８の固定用穴２８ａや有孔角管２９の固定用穴２９ａに挿入される固定用挿入部５６ｄを後側の先端に備えている。
【００４３】
ハンドル支持部材５７は、ハンドル５６の延長部５６ｂが挿入された溝５７ａと、ハンドル５６の抜出防止突起５６ｃと接触することによってハンドル５６がハンドル支持部材５７から前側に抜け出ることを防止する切り欠き５７ｂとを備えている。
【００４４】
なお、正面開口部３２ａは、ハンドル５６の固定用挿入部５６ｄが有孔角管２８の固定用穴２８ａや有孔角管２９の固定用穴２９ａから抜け出るときにハンドル５６の一部が通る位置に配置されている（図７（ｂ）参照。）。そして、図７（ａ）に示すように、扉３５は、正面開口部３２ａを塞ぐことによって、ハンドル５６の一部が正面開口部３２ａを通ることを防止することができる。
【００４５】
図２および図３に示すように、壁部６１は、上下方向に延在して台部５１の後側部材５３に下端部で固定された２本の角管６２と、左右方向に延在して２本の角管６２を連結した２本の角管６３と、２本の角管６３に跨って固定されてディスプレイ９０をいわゆる壁掛けによって固定することが可能な２個の壁掛け金具６４とを備えている。
【００４６】
ディスプレイ台１０は、ディスプレイ９０がディスプレイ収納部２０に対して出入可能になるようにディスプレイ収納部２０にディスプレイ支持部５０を移動可能に連結する連結部７０を備えている。
【００４７】
図９は、ディスプレイ支持部５０がディスプレイ収納部２０に対して上側固定位置と下側固定位置との間の位置にあるときのディスプレイ台１０の背面図であって、背面パネル３９（図５（ａ）参照。）が取り外されている状態での図である。図１０は、扉３５および蓋４３が閉じていてディスプレイ支持部５０がディスプレイ収納部２０に対して下側固定位置で固定されているときのディスプレイ台１０の一部破断右側面図である。図１１は、連結部７０の一部の構成の斜視図である。
【００４８】
図９〜図１１に示すように、連結部７０は、左側の前側、左側の後側、右側の前側、右側の後側に１個ずつ配置された４個の定荷重ばね７１と、左側、右側に１個ずつ配置されて上下方向に延在した２本のレール７２と、レール７２を固定するために左側、右側に１個ずつ上下方向に延在してディスプレイ収納部２０の角管２５および角管２６に跨って取り付けられた２本のレール固定部材７３と、ディスプレイ支持部５０の２個の側面部材５４にそれぞれ３個ずつ回転可能に支持されてレール７２と接触するローラ７４と、左右方向に延在してディスプレイ支持部５０の２個の側面部材５４を貫通してディスプレイ支持部５０に固定された丸管７５と、丸管７５の内部に回転可能に挿入された軸７６と、軸７６の両端に取り付けられた平歯車７７とを備えている。レール固定部材７３は、上下方向に延在して平歯車７７と噛み合う直線歯車７３ａを備えている。
【００４９】
定荷重ばね７１は、一部分が天板４１の固定部４２に取り付けられ、他の一部分がディスプレイ支持部５０の側面部材５４に取り付けられており、ディスプレイ支持部５０にディスプレイ９０が設置されていても利用者が軽い力でディスプレイ収納部２０に対してディスプレイ支持部５０を上下移動させることができるようにしている。定荷重ばね７１としては、例えばサンコースプリング株式会社製のコンストン（登録商標）を用いることができる。
【００５０】
なお、ディスプレイ収納部２０に対するディスプレイ支持部５０の前後方向の移動と、左右方向の移動と、上下方向に延在する軸を中心とした回転と、左右方向に延在する軸を中心とした回転とは、レール７２および３個のローラ７４の組が左右に１組ずつ設置されていることによって防止されている。また、ディスプレイ収納部２０に対するディスプレイ支持部５０の前後方向に延在する軸を中心とした回転は、軸７６の両端に取り付けられて左右に１個ずつ配置された平歯車７７と、左右に１個ずつ配置されたレール固定部材７３の直線歯車７３ａとが噛み合うことによって防止されている。したがって、ディスプレイ支持部５０は、ディスプレイ収納部２０に対して上下方向にのみ移動可能になっている。
【００５１】
図５に示すように、ディスプレイ台１０は、ディスプレイ支持部５０（図１（ａ）参照。）に支持されているディスプレイ９０（図１（ａ）参照。）に電力を供給するためのコードを通すためのコード用穴８５ａを２つ有する有孔部材８５と、ディスプレイ支持部５０に支持されているディスプレイ９０に電力を供給するためのコードのうち不要な部分を巻き取るための余長コード巻具８６とを備えている。有孔部材８５は、放熱用スリット３９ａの左右に１個ずつ背面パネル３９を貫通して設けられている。余長コード巻具８６は、２個の有孔部材８５の下に１個ずつ背面パネル３９に設けられている。
【００５２】
例えば、有孔部材８５は、ディスプレイ支持部５０に支持されているディスプレイ９０に電力を供給するためのテーブルタップ９１のコード９１ａをコード用穴８５ａに通すことによって、テーブルタップ９１のコンセント９１ｂ（図２参照。）をディスプレイ収納部２０の内部に配置し、テーブルタップ９１のプラグ９１ｃをディスプレイ収納部２０の外部に配置することができる。また、余長コード巻具８６は、テーブルタップ９１のコード９１ａのうちディスプレイ収納部２０の外部に出ている不要な部分を巻き取ることができる。もちろん、有孔部材８５のコード用穴８５ａは、ディスプレイ９０の電源コードが直接通されても良い。
【００５３】
図１２（ａ）は、ディスプレイ台１０の左側面パネル３８に取り付けられたテーブル８７の斜視図であって、テーブル８７にノートパソコン９２がのせられているときの図である。図１２（ｂ）は、ディスプレイ台１０の左側面パネル３８に取り付けられたテーブル８７の斜視図であって、テーブル８７が折りたたまれているときの図である。
【００５４】
図１２に示すように、ディスプレイ台１０は、左側面パネル３８にテーブル８７を備えていても良い。テーブル８７は、図１２（ａ）に示すようにノートパソコン９２などのディスプレイ９０の周辺機器が設置されることができる。例えば、テーブル８７にノートパソコン９２が設置されている場合、ディスプレイ９０は、テーブル８７に設置されたノートパソコン９２から送信された情報を出力することができる。また、テーブル８７は、使用されないときに、図１２（ｂ）に示すように折りたたまれることができる。なお、テーブル８７は、右側面パネル３７に備えられていても良い。
【００５５】
次に、ディスプレイ台１０の使用方法について説明する。
【００５６】
まず、ディスプレイ台１０へのディスプレイ９０の設置方法について説明する。
【００５７】
利用者は、図４（ｂ）に示すように扉３５および蓋４３が閉じているディスプレイ台１０に対して、図６に示すように扉３５および蓋４３を開く。ここで、扉３５の錠３５ａや蓋４３の錠４３ａに鍵がかけられていた場合には、利用者は、扉３５の錠３５ａや蓋４３の錠４３ａに鍵を差し込んで回すことによって、扉３５の錠３５ａや蓋４３の錠４３ａを開けることができる。
【００５８】
このとき、扉３５が開かれることによって正面開口部３２ａが現れている。また、蓋４３が開かれることによって上面開口部４１ａが現れている。また、ディスプレイ支持部５０は、ディスプレイ収納部２０に対して下側固定位置で固定されている。
【００５９】
次いで、利用者は、正面開口部３２ａを介してハンドル５６の中央部５６ａを掴み、図７（ｂ）に示すようにハンドル５６を手前に引き出す。これによって、図８（ａ）に示すように有孔角管２８の固定用穴２８ａに挿入されていたハンドル５６の固定用挿入部５６ｄが図８（ｂ）に示すように有孔角管２８の固定用穴２８ａから抜け出て、ディスプレイ支持部５０は、ディスプレイ収納部２０に対して下側固定位置で固定されていた状態から、ディスプレイ収納部２０に対して移動可能な状態になる。
【００６０】
次いで、利用者は、ハンドル５６を上側に移動させることによって図３に示すようにディスプレイ収納部２０に対してディスプレイ支持部５０を上側に移動させる。これによって、ディスプレイ支持部５０の壁部６１が上面開口部４１ａを介してディスプレイ収納部２０の外部に出る。
【００６１】
次いで、利用者は、ディスプレイ支持部５０がディスプレイ収納部２０に対して上側固定位置に達すると、図２に示すようにハンドル５６を奥に押し込む。これによって、ハンドル５６の固定用挿入部５６ｄが有孔角管２９の固定用穴２９ａに挿入されて、ディスプレイ支持部５０は、ディスプレイ収納部２０に対して移動可能な状態から、ディスプレイ収納部２０に対して上側固定位置で固定されている状態になる。
【００６２】
次いで、利用者は、扉３５を閉めることによって、ハンドル５６が何らかの原因で手前に引き出されてディスプレイ支持部５０がディスプレイ収納部２０に対して移動可能な状態になることを防止することができる。更に、利用者は、扉３５の錠３５ａに鍵をかけて扉３５が開くことを防止することによって、ハンドル５６が何らかの原因で手前に引き出されてディスプレイ支持部５０がディスプレイ収納部２０に対して移動可能な状態になることを確実に防止することができる。なお、利用者は、扉３５を開けたまま次の作業を行うこともできる。
【００６３】
最後に、利用者は、ディスプレイ支持部５０にディスプレイ９０を固定することによって、図１（ａ）に示すようにディスプレイ台１０へのディスプレイ９０の設置を完了させる。
【００６４】
なお、利用者は、正面開口部３２ａを介してディスプレイ収納部２０の内部に手を差し入れることによって、ディスプレイ９０の電源コードのプラグをテーブルタップ９１のコンセント９１ｂに差し込むことができる。
【００６５】
次に、ディスプレイ台１０へのディスプレイ９０の収納方法について説明する。
【００６６】
利用者は、図１（ａ）に示すように扉３５が閉じているディスプレイ台１０に対して、扉３５を開く。ここで、扉３５の錠３５ａに鍵がかけられていた場合には、利用者は、扉３５の錠３５ａに鍵を差し込んで回すことによって、扉３５の錠３５ａを開けることができる。
【００６７】
このとき、扉３５が開かれることによって正面開口部３２ａが現れている。また、ディスプレイ支持部５０は、ディスプレイ収納部２０に対して上側固定位置で固定されている。
【００６８】
次いで、利用者は、正面開口部３２ａを介してハンドル５６の中央部５６ａを掴み、ハンドル５６を手前に引き出す。これによって、有孔角管２９の固定用穴２９ａに挿入されていたハンドル５６の固定用挿入部５６ｄが有孔角管２９の固定用穴２９ａから抜け出て、ディスプレイ支持部５０は、ディスプレイ収納部２０に対して上側固定位置で固定されていた状態から、ディスプレイ収納部２０に対して移動可能な状態になる。
【００６９】
次いで、利用者は、ハンドル５６を下側に移動させることによってディスプレイ収納部２０に対してディスプレイ支持部５０を下側に移動させる。
【００７０】
次いで、利用者は、ディスプレイ支持部５０がディスプレイ収納部２０に対して下側固定位置に達すると、ハンドル５６を奥に押し込む。これによって、ハンドル５６の固定用挿入部５６ｄが有孔角管２８の固定用穴２８ａに挿入されて、ディスプレイ支持部５０は、ディスプレイ収納部２０に対して移動可能な状態から、ディスプレイ収納部２０に対して下側固定位置で固定されている状態になる。
【００７１】
最後に、利用者は、扉３５および蓋４３を閉め、扉３５の錠３５ａおよび蓋４３の錠４３ａに鍵をかけることによって、図１（ｂ）に示すようにディスプレイ台１０へのディスプレイ９０の収納を完了させる。
【００７２】
なお、ディスプレイ台１０の内部に収納したディスプレイ９０をディスプレイ台１０の外部に出す方法は、上述したディスプレイ台１０へのディスプレイ９０の設置方法と同様に、ディスプレイ収納部２０に対して下側固定位置で固定されているディスプレイ支持部５０をディスプレイ収納部２０に対して上側固定位置で固定させれば良いので、説明を省略する。
【００７３】
以上に説明したように、ディスプレイ台１０は、ディスプレイ９０の電源が切られているときなど、ディスプレイ９０が外部から見られる必要がないときに、ディスプレイ９０を収納することができるので、ディスプレイ９０が外部から見られる必要がないときに、ディスプレイ９０とともに占領する空間を小さくすることができる。
【００７４】
また、ディスプレイ台１０は、ディスプレイ９０を収納することができるので、ディスプレイ９０が外部から見られる必要がないときに、埃やその他の物によってディスプレイ９０が汚損されることや、ディスプレイ９０が盗難されることなどを防ぐこともできる。
【００７５】
また、ディスプレイ台１０は、一般的に有効に使うことが難しく無駄な空間になりがちである上側の空間にディスプレイ９０を出すので、ディスプレイ９０が水平方向に出る場合と比較して、設置されるために必要な空間の床面積を小さくすることができる。
【００７６】
また、ディスプレイ台１０は、ディスプレイ９０を出入させる上面開口部４１ａを塞ぐ蓋４３と、蓋４３が開かれることを防止する錠４３ａとを備えているので、ディスプレイ９０がディスプレイ収納部２０から出されることを蓋４３および錠４３ａによって防止することができる。
【００７７】
なお、蓋４３は、本実施の形態において上面開口部４１ａの全部を塞ぐようになっているが、上面開口部４１ａからディスプレイ９０が出ることを防止することができれば、上面開口部４１ａの一部のみを塞ぐようになっていても良い。
【００７８】
また、ディスプレイ台１０は、利用者がディスプレイ収納部２０に対してディスプレイ支持部５０を手動で移動させるために利用者によって把持されるハンドル５６を備えており、ディスプレイ支持部５０がディスプレイ収納部２０に対して移動可能な上下方向とは異なる方向である前後方向にハンドル支持部材５７がハンドル５６を移動可能に支持しており、ハンドル支持部材５７に対するハンドル５６の移動によって有孔角管２８の固定用穴２８ａや有孔角管２９の固定用穴２９ａに挿入される固定用挿入部５６ｄをハンドル５６が備えているので、ディスプレイ収納部２０に対するディスプレイ支持部５０の移動および固定の両方をハンドル５６によって利用者に手動で行わせることができる。
【００７９】
また、ディスプレイ台１０は、利用者がハンドル５６を把持するために手を差し入れる正面開口部３２ａを塞ぐ扉３５と、扉３５が開かれることを防止する錠３５ａとを備えており、ハンドル５６が利用者によって操作されることを扉３５および錠３５ａによって防止することができるので、ディスプレイ収納部２０に対するディスプレイ支持部５０の移動を防止することができる。
【００８０】
また、扉３５は、ハンドル５６の固定用挿入部５６ｄが有孔角管２８の固定用穴２８ａや有孔角管２９の固定用穴２９ａから抜け出るときにハンドル５６の一部が通る正面開口部３２ａを塞ぐようになっている。したがって、ディスプレイ台１０は、例えば地震などの不可抗力があったとしても、ハンドル５６の固定用挿入部５６ｄが有孔角管２８の固定用穴２８ａや有孔角管２９の固定用穴２９ａから抜け出ることを扉３５および錠３５ａによって防止することができ、ディスプレイ収納部２０に対するディスプレイ支持部５０の移動を防止することができる。
【００８１】
なお、扉３５は、本実施の形態において正面開口部３２ａの全部を塞ぐようになっているが、利用者が正面開口部３２ａを介してハンドル５６を把持することを防止することや、ハンドル５６の一部が正面開口部３２ａを通ることを防止することができれば、正面開口部３２ａの一部のみを塞ぐようになっていても良い。
【００８２】
また、扉３５や蓋４３は、本実施の形態において開き戸であるが、開き戸以外の扉であっても良い。例えば、扉３５や蓋４３は、引き戸であっても良い。
【００８３】
また、ディスプレイ台１０は、扉３５や蓋４３を備えずに、正面開口部３２ａや上面開口部４１ａが常に開いている構成であっても良い。
【００８４】
なお、ディスプレイ収納部２０に対するディスプレイ支持部５０の移動は、本実施の形態において利用者が手動で行うようになっているが、モーターなどの原動機を利用して利用者の指示に応じて自動で行われるようになっていても良い。
【符号の説明】
【００８５】
１０  ディスプレイ台
２０  ディスプレイ収納部
２８ａ  固定用穴
２９ａ  固定用穴
３２ａ  正面開口部（把持部用開口部）
３５  扉（把持部用扉）
３５ａ  錠（把持部用扉用錠）
４１ａ  上面開口部（ディスプレイ用開口部）
４３  蓋（ディスプレイ用扉）
４３ａ  錠（ディスプレイ用扉用錠）
５０  ディスプレイ支持部
５６  ハンドル（把持部）
５６ｄ  固定用挿入部
５７  ハンドル支持部材（把持部支持部）
７０  連結部
９０  ディスプレイ
【図１】
2011095686.tif 000003
【図２】
2011095686.tif 000004
【図３】
2011095686.tif 000005
【図４】
2011095686.tif 000006
【図５】
2011095686.tif 000007
【図６】
2011095686.tif 000008
【図７】
2011095686.tif 000009
【図８】
2011095686.tif 000010
【図９】
2011095686.tif 000011
【図１０】
2011095686.tif 000012
【図１１】
2011095686.tif 000013
【図１２】
2011095686.tif 000014